(57)【要約】      （修正有）【課題】フルフェースヘルメット状態におけるチンガードの強度の実効性を向上させるとともに、チンガードの形状を帽体のサイズに適合する形状にする。【解決手段】ヘルメットＡの最外層を構成し、且つオープンフェース型に成型された帽体Ｂの前面開放部Ｂ１を横切って左右両側に跨がるとともに、帽体Ｂの左右方向に沿う軸心を回転中心として上下方向に回転自在に軸支されたチンガード１を備え、チンガード１は、可撓性を有する素材により形成された、撓むことにより帽体Ｂの異なるサイズに適合する形状に変形が可能な表層部材２と、剛性を有する素材により形成された、表層部材２の内側に固定されるコア部材３とを備え、コア部材３は、表層部材２の撓みを抑制し、表層部材２の形状を帽体Ｂのサイズに適合する形状に調整可能とする。【選択図】図１
2014005577.tif 000002
【特許請求の範囲】
【請求項１】
ヘルメットの最外層を構成し、且つオープンフェース型に成型された帽体の前面開放部を横切って左右両側に跨がるとともに、前記帽体の左右方向に沿う軸心を回転中心として上下方向に回転自在に軸支されたチンガードを備えたヘルメットにおいて、前記チンガードは、可撓性を有する素材により形成された、撓むことにより前記帽体の異なるサイズに適合する形状に変形が可能な表層部材と、剛性を有する素材により形成された、前記表層部材の内側に固定されるコア部材とを備え、前記コア部材は、前記表層部材の撓みを抑制し、該表層部材の形状を前記帽体のサイズに適合する形状に調整可能とすることを特徴とするヘルメット。
【請求項２】
前記コア部材は、前記帽体の異なるサイズ毎に適合する形状として複数種用意されていることを特徴とする請求項１記載のヘルメット。
【請求項３】
前記コア部材の素材が、前記帽体と同素材であることを特徴とする請求項１又は２記載のヘルメット。
【発明の詳細な説明】
【技術分野】
【０００１】
本発明は、自動車や自動二輪車等の各種移動車両及びモーターボート等の船舶、更には、自転車等の移動機具に乗る際に被るヘルメットに関する。
【背景技術】
【０００２】
オートバイや自動車に乗車する際に安全目的のために着用されるヘルメットとして、フルフェースヘルメット、オープンフェースヘルメットの他に、下記特許文献１に記載されているように、オープンフェースヘルメットの前面開放部を横切って左右両側に跨がるとともに、着用者の顎部を覆うチンガードが回動自在に備えられたものが知られている。
【先行技術文献】
【特許文献】
【０００３】
【特許文献１】特開平７−３４３１２号公報
【発明の概要】
【発明が解決しようとする課題】
【０００４】
特許文献１の従来技術によると、着用者の顎部を含む広い範囲を覆うフルフェースヘルメットと、着用者の顔面が露出することによる良好な開放感等を有するオープンフェースヘルメットの両方の機能を備えることができる。
【０００５】
しかしながら、特許文献１の従来技術は、チンガードが、合成樹脂により成型された表層部材と、この表層部材に内張りされたウレタンフォーム等から成型されたライナとから構成されているため、強化繊維樹脂等によってフルフェース型に一体成型された帽体のチンガード部に比べて強度が低く、チンガードとして必要な本来の機能を確保することができないという問題があった。
【０００６】
本発明は、このような問題に対処することを課題の一例とするものである。すなわち、着用者の顎部を含む広い範囲を覆うフルフェースヘルメットと、着用者の顔面が露出することによる良好な開放感等を有するオープンフェースヘルメットの両方の機能を備えた上で、フルフェースヘルメット状態におけるチンガードの強度の実効性を向上させることができること、チンガードの形状を帽体のサイズに適合する形状にできること、等が本発明の目的である。
【課題を解決するための手段】
【０００７】
このような目的を達成するために、本発明によるヘルメットは、以下の構成を少なくとも具備するものである。
【０００８】
ヘルメットの最外層を構成し、且つオープンフェース型に成型された帽体の前面開放部を横切って左右両側部に跨がるとともに、前記帽体の左右方向に沿う軸心を回転中心として上下方向に回転自在に軸支されたチンガードを備えたヘルメットにおいて、前記チンガードは、可撓性を有する素材により形成された、撓むことにより前記帽体の異なるサイズに適合する形状に変形が可能な表層部材と、剛性を有する素材により形成された、前記表層部材の内側、且つ少なくとも、前記前面開放部と対面する部位に固定されるコア部材とを備え、前記コア部材は、前記表層部材の撓みを抑制し、該表層部材の形状を前記帽体のサイズに適合する形状に調整可能とすることを特徴とする。
【０００９】
前記コア部材は、前記帽体の異なるサイズ毎に適合する形状として複数種用意されていることを特徴とする。  
【００１０】
前記コア部材の素材が、前記帽体と同素材であることを特徴とする。
【発明の効果】
【００１１】
このような特徴を有することで本発明は、以下の効果を奏する。可撓性を有する表層部材の内側に、この表層部材の撓みを抑制するとともに、その形状を帽体のサイズに適合する形状に規定する剛性を有するコア部材を備えたので、着用者の顎部を含む広い範囲を覆うフルフェースヘルメットと、着用者の顔面が露出することによる良好な開放感等を有するオープンフェースヘルメットの両方の機能を備えた上で、フルフェースヘルメット状態におけるチンガードの強度の実効性を向上させることができるとともに、チンガードの形状を帽体のサイズに適合する形状にできる。
【図面の簡単な説明】
【００１２】
【図１】本発明の実施形態に係るヘルメットの正面図である。
【図２】図１の側面図である。
【図３】図２においてチンガードを開いた状態を示す側面図である。
【図４】図３の（ＩＶ）−（ＩＶ）線断面図である。
【図５】図４の（Ｖ）−（Ｖ）線断面図である。
【図６】図４の（ＶＩ）−（ＶＩ）線断面図である。
【発明を実施するための形態】
【００１３】
以下で説明する帽体とは、ヘルメットの最外層を構成するものであり、例えば、強化繊維材（ガラス繊維、カーボン繊維等）に、熱硬化性樹脂材（エポキシ樹脂材、フェノール樹脂材等）を含浸させた強化繊維樹脂材（ＧＦＲＰ、ＣＦＲＰ等）又は、熱可塑性樹脂材（ポリカーボネート等）を用いて、オープンフェース形状に成型したものである。
【００１４】
以下で説明する左右とは、ヘルメットの着用者の頬部に対面する方向である。また、以下で説明する前とは、ヘルメットの着用者の顔面側である。また、以下で説明する上とは、ヘルメットの頭頂部側であって、下とは、ヘルメットの顎部側である。
【００１５】
以下で説明する可撓性を有する素材とは、例えば、ＡＢＳ樹脂材（アクリロニトリル、ブタジエン、スチレン共重合合成樹脂材）、アクリル樹脂材、エポキシ樹脂材、等である。
【００１６】
以下で説明する剛性を有する素材とは、例えば、強化繊維材（ガラス繊維、カーボン繊維等）に、熱硬化性樹脂材（エポキシ樹脂材、フェノール樹脂材等）を含浸させた強化繊維樹脂材（ＧＦＲＰ、ＣＦＲＰ等）又は、熱可塑性樹脂材（ポリカーボネート等）、等の軽量でありながら剛性を有するものである。更に、金属（鉄、及び鉄を主成分とする合金）、或いは、非鉄金属（アルミニウム、マグネシウム、チタン、銅等、及びこれらを主成分とする合金）を用いることもできる。
【００１７】
以下で説明する内側とは、ヘルメットを着用した着用者側である。
【００１８】
以下、本発明の実施形態に係るヘルメット（以下、「ヘルメット」という）Ａを、図１〜図４に基づいて説明する。尚、以下で説明する各実施形態は、本発明を限定するものではない。
【００１９】
ヘルメットＡは、強化繊維樹脂材でオープンフェース型に成型された帽体Ｂの頭部Ｂ１０の内側に、発泡スチロール材、もしくは、この発泡スチロール材と同等の衝撃吸収性能を有する素材を用いて成型された衝撃吸収ライナー（図示せず）と、この衝撃吸収ライナの内側に配設されるウレタン材等でなる頭部パッド（図示せず）と、帽体Ｂの頬部に対応する左右両側部ＢＬ、ＢＲの内側面に着脱自在に装着された頬パッドＣＬ、ＣＲと、帽体Ｂの前面開放部Ｂ１を横切って左右両側部ＢＬ、ＢＲに跨がるとともに、帽体Ｂの左右方向に沿う軸心となる軸支部１０を回転中心として上下方向に回転自在に軸支されたチンガード１と、回転下限位置（ヘルメットＡがフルフェースヘルメット状態となる位置）でチンガード１を帽体Ｂにロックするロック装置Ｄとを備えている。
【００２０】
チンガード１は、チンガード１の外表面を構成する表層部材２と、表層部材２の内側に配されたコア部材３と、コア部材３の内側に配され、前述の衝撃吸収ライナと同じ素材からなる顎部カバー部材５と、表層部材２の上方に配されたシールド４とを備えており、軸支部１０を中心として回転することによって、前面開放部Ｂ１を閉塞及び開放するようにされている。
【００２１】
表層部材２は、可撓性を有する合成樹脂材を用いて、帽体Ｂの左右両側部ＢＬ、ＢＲにわたって着用者の顎部を覆う形状に成形されており、撓むことによって複数存在する帽体Ｂの各サイズに適合する形状となるようにされている。
【００２２】
この表層部材２は、前面開放部Ｂ１の前方に、この前面開放部Ｂ１と対面するように配置されるチンガード本体部２０と、このチンガード本体部２０の左右に連設され、軸支部１０を備えた軸支板部２１Ｌ、２１Ｒとからなり、この軸支板部２１Ｌ、２１Ｒを帽体Ｂの左右両側部ＢＬ、ＢＲに軸支するようにされている。
【００２３】
チンガード本体部２０の内側面の左右端部付近には、コア部材３をチンガード本体部２０の内側に固定するためのビスＣがねじ込まれるとともに、コア部材３に嵌合する筒体２２が立設されている。
【００２４】
コア部材３は、帽体Ｂと同じ強化繊維樹脂材、あるいは、この強化繊維樹脂材と同等の剛性を有する素材を用いて、チンガード本体部２０の内側の形状に沿う形状に成型されており、このチンガード本体部２０に固定することで、その剛性によって、表層部材２の撓みを抑制して表層部材２の帽体Ｂのサイズに適合する形状に調整するとともに、表層部材２を補強してこの表層部材２の剛性を向上することができるようにされている。
【００２５】
このコア部材３は、帽体Ｂの異なるサイズ毎に適合する形状として複数種用意されており、帽体Ｂのサイズに応じた形状のコア部材３をチンガード本体部２０に固定することによって、表層部材２の形状を帽体Ｂのサイズに適合する形状に、主に左右方向（幅方向）で調整することができるようになっている。
【００２６】
コア部材３には、ビスＣが貫通するビス孔３０が開孔されており、このビス孔３０から貫通させたビスＣを筒体２２にねじ込むことによって、コア部材３をチンガード本体部２０に固定するようにされている。
【００２７】
また、コア部材３には、筒体２２に嵌合する嵌合凹部３１がビス孔３０と同軸、且つ筒体２２に適合状に嵌合する径として形成されており、この嵌合凹部３１を筒体２２に嵌合することによって、コア部材３のチンガード本体２０に対する固定位置の位置決めができるようになっている。
【００２８】
尚、チンガード本体部２０に対するコア部材３の固定は、接着剤による固定、チンガード本体部２０とコア部材３とにわたって設けた係合手段（例えば、係合凸部と係合凹部との係合）による固定、接着剤と係合手段との組み合わせによる固定、等としてもよい。
【００２９】
コア部材３の左右端部には、金属材等の硬質素材から形成された接触板３１Ｌ、３１Ｒが固定されており、この接触板３１Ｌ、３１Ｒが、左右両側部ＢＬ、ＢＲに配されたストッパ部材３２Ｌ、３２Ｒに接触することによって、チンガード１の回転下限位置よりも下方への回転を規制できるようになっている。
【００３０】
ストッパ部材３２Ｌ、３２Ｒは、チンガード１が回転下限位置に至った際に、接触板３１Ｌ、３１Ｒが接触する位置に配されている。
【００３１】
尚、接触板３１Ｌ、３２Ｒを省略して、コア部材３の端面が直接ストッパ部材３２Ｌ、３２Ｒに接触するようにしてもよい。
【００３２】
また、コア部材３は、軸支板部２１Ｌ、２１Ｒの全域、或いは一部にまで至る形状として、表層部材２の全域、或いはほぼ全域の補強ができるようにしてもよい。
【００３３】
シールド４は、透明、あるいは十分な視界を確保して着色されたポリカーボネート材を所定形状に形成したものであり、軸支部１０を回転中心として回転自在に軸支されている。このようなシールド４は、表層部材２の回転に伴って回転するとともに、表層部材２とは独立して回転することができるようになっており、ヘルメットＡをフルフェースヘルメット状態とした際に、表層部材２に対して上下方向に回転することで、前面開放部Ｂ１の一部を開放状態にできるようになっている。
【００３４】
顎部カバー部材５は、帽体Ｂのサイズに適合し、且つチンガード本体部２０の内側の形状に沿う形状に成型されている。この顎部カバー部材５には、長手方向の全域にわたり、チンガード本体部２０の内側に固定されたコア部材３が嵌入する溝部５０が設けられている。
【００３５】
ロック装置Ｄは、左側部ＢＬの外表面側に設けられた突起Ｄ１と、軸支板部２１Ｌの内側に設けられた凹部Ｄ２とで構成されており、これら突起Ｄ１と凹部Ｄ２とがチンガード１の回転下限位置において係合することで、チンガード１が帽体Ｂに対してロック状態となり、これによって、ヘルメットＡのフルフェースヘルメット状態を保持することができる。
【００３６】
また、突起Ｄ１と凹部Ｄ２との係合を外すことで、帽体Ｂに対するチンガード１のロック状態を解除し、これによって、チンガード１を上方に回転させることができるとともに、ヘルメットＡをオープンフェースヘルメット状態にすることができる。
【００３７】
尚、ロック装置Ｄは、軸支板部２１Ｒ側に設けてもよいし、両軸支板部２１Ｌ、２１Ｒに設けてもよい。また、ロック装置Ｄは、例示した構造に限らない。
【００３８】
以上のような構成のヘルメットＡによると、着用者の顎部を含む広い範囲を覆うフルフェースヘルメットと、着用者の顔面が露出することによる良好な開放感等を有するオープンフェースヘルメットの両方の機能を備えた上で、フルフェースヘルメット状態におけるチンガード１の強度の実効性を向上させることができる。
【００３９】
また、コア部材３の前述した形状及び剛性によって、チンガード１の形状を帽体Ｂのサイズに適合する形状にすることができるとともに、この形状を保持することができる。
【００４０】
また、コア部材３を帽体Ｂの異なるサイズ毎に適合する形状として複数種用意することによって、表層部材２の形状の異なるサイズの帽体Ｂに夫々適合する形状への調整を確実、且つ容易にできる。
【００４１】
また、コア部材３を帽体Ｂと同じ素材で成型することによって、軽量でありながら必要な剛性を備えたものとすることができる。したがって、チンガード１の重量増を小さくでき、これにより、ヘルメットＡの重量増も小さくなるため、着用者に対する良好な被り心地を確保することができる。
【００４２】
また、ロック装置Ｄにより、ヘルメットＡのフルフェースヘルメット状態を保持できるので、走行風等の影響によって不用意にチンガードが開くのを防止し、着用者の顔面を確実に保護することができる。
【符号の説明】
【００４３】
Ａ：ヘルメット
Ｂ：帽体
Ｂ１：前面開放部
１：チンガード
２：表層部材
３：コア部材
【図１】
2014005577.tif 000003
【図２】
2014005577.tif 000004
【図３】
2014005577.tif 000005
【図４】
2014005577.tif 000006
【図５】
2014005577.tif 000007
【図６】
2014005577.tif 000008